(57)【特許請求の範囲】
【請求項１】
装置本体と、該装置本体に着脱自在に装着されるインスツルメントホースとを着脱自在に連結するためのインスツルメントホース用のアダプタであって、一方の側に前記装置本体に着脱自在に接続される単一の接続端を有し、他方の側に複数本のインスツルメントホースが着脱自在に接続される複数の接続端を有することを特徴とするインスツルメントホース用のアダプタ。
【請求項２】
前記アダプタは、前記他方の側の複数の接続端のうちの１つが前記一方の側の接続端に選択的に連通可能であることを特徴とする請求項１に記載のインスツルメントホース用のアダプタ。
【請求項３】
前記アダプタは、前記他方の側の複数の接続端の各々に対応したインスツルメントホルダーを一体的に有し、該ホルダーから選択的に１本のインスツルメントホースを取り出した時に、当該インスツルメントホースが接続された接続端が前記一方の側の接続端に連通されることを特徴とする請求項１に記載のインスツルメントホース用アダプタ。
【発明の詳細な説明】
【０００１】
【発明の属する技術分野】
本発明は、インスツルメントホース用アダプタ、より詳細には、獣、歯科を含む医科治療において使用するインスツルメントホースの複数本を装置本体に接続するのに使用して好適なインスツルメントホース用アダプタに関する。
【０００２】
【従来の技術】
図３は、本発明によるインスツルメントホース用アダプタが使用される一例としての医療装置を説明するための図で、図３（Ａ）は斜視図、図３（Ｂ）は模式図で、図中、１０は装置本体、２０はインスツルメントホースで、通常１つの装置本体１０に対して１本のインスツルメントホース２０が着脱可能に接続されるようになっている。インスツルメントホース２０は、該インスツルメントホース２０を装置本体１０に着脱自在に接続するための接続端２１、ホース２２、該ホース２２に対して着脱自在に接続されるハンドピース２３、該ハンドピース２３に着脱自在に装着されるチップ（作業具）２４等から成り、使用に際し、接続端２１を装置本体１０の接続口１１に差し込み、装置本体１０から電気，エアー，光等の何らかの動力源をホース２２を通してハンドピース２３に送り、該ハンドピース２３に設けられた操作スイッチ或いは図示しない周知のフットスイッチ（足操スイッチ）によってチップ２４を駆動し、所望の作業を行う。
【０００３】
例えば、従来の歯科用超音波スケーラは、装置本体１０に対して１本のインスツルメントホース２０を接続して使用するようになっており、作業用途に応じて、チップ２４を交換したり、ハンドピース２３を交換したりして使用するようにしている。
【０００４】
【発明が解決しようとする課題】
しかし、作業中に、チップを交換したり、ハンドピースを交換したりすることは、術者の作業効率を妨げ、或いは、歯科治療において、光硬化樹脂を根管内に充填して硬化する場合等、作業対象の状態が刻々変化している場合には、迅速に交換することが要求される。
【０００５】
本発明は、上述のごとき実情に鑑みてなされたもので、もともと、１本のインスツルメントホースしか接続できない装置本体に対して、複数本のインスツルメントホースを同時に接続しておくことを可能とし、必要に応じて、所望のインスツルメントホースに瞬時に取り換えて使用できるようにすることを目的としてなされたものである。
【０００６】
【課題を解決するための手段】
請求項１の発明は、装置本体と、該装置本体に着脱自在に装着されるインスツルメントホースとを着脱自在に連結するためのインスツルメントホース用のアダプタであって、一方の側に前記装置本体に着脱自在に接続される単一の接続端を有し、他方の側に複数本のインスツルメントホースが着脱自在に接続される複数の接続端を有することを特徴としたものである。
【０００７】
請求項２の発明は、請求項１の発明において、前記アダプタは、前記他方の側の複数の接続端のうちの１つが前記一方の側の接続端を選択的に連通可能であることを特徴としたものである。
【０００８】
請求項３の発明は、請求項１の発明において、前記アダプタは、前記他方の側の複数の接続端の各々に対応したインスツルメントホルダーを一体的に有し、該ホルダーから選択的に１本のインスツルメントホースを取り出した時に、当該インスツルメントホースが接続された接続端が前記一方の側の接続端に連通されることを特徴としたものである。
【０００９】
【発明の実施の形態】
図１は、本発明によるインスツルメントホース用アダプタの一使用例を説明するための図で、図１（Ａ）は実際の使用状態を示す全体斜視図、図１（Ｂ）は模式図で、図中、３０は本発明によるインスツルメントホース用アダプタで、該アダプタ３０は、一方の側に装置本体１０に対して着脱自在に接続される接続端３１を、他方の側に複数本の（図示例の場合、３本の）インスツルメントホース２０1〜２０3が着脱自在に接続される複数の接続端３２1〜３２3が設けられており、使用時、該アダプタ３０を介して、単一の装置本体１０に対して複数本のインスツルメントホース２０1〜２０3が同時に接続可能となっている。各インスツルメントホース２０1〜２０3の先端には、それぞれ用途の異なるチップ２４1〜２４3が接続されており、術者は、必要に応じて、所望のインスツルメントホース２０1〜２０3を選択して使用するが、選択されたインスツルメントホース（チップ）への装置本体１０からの動力の伝達は、アダプタ３０に設けられた切り換えスイッチ３３によって行う。なお、アダプタ３０の接続端３１はホース等を介して延長されて装置本体１０に接続されるようにしてもよい。
【００１０】
図２は、本発明によるインスツルメントホース用アダプタの他の実施例を説明するための概略斜視図で、このアダプタ３０は、各インスツルメントホース２０1〜２０3を懸架するインスツルメントホルダー部３４1〜３４3を有し、各ホルダー部３４1〜３４3には該ホルダー部からインスツルメントホースが取り出された時に作動するスイッチが内蔵されている。従って、インスツルメントホルダーから所望のインスツルメントホースを取り出すと、該取り出されたインスツルメントホースに対してのみ、装置本体１０から動力源（例えば、電気）を供給することができる。換言すれば、図２に示したアダプタによれば、図１に示したアダプタで必要とした切り換えスイッチ３３は不要で、従って、切り換えスイッチ３３を操作する必要はなく、インスツルメントホルダからインスツルメントホースを取り出せば、自動的に当該インスツルメントが作動可能状態になるので、非常に使い勝手の良いものになる。
【００１１】
【発明の効果】
以上の説明から明らかなように、本発明によれば、本来、単一の装置本体に対して単一のインスツルメントホースしか接続できない機器に対して、用途の異なる複数のインスツルメントホースを同時に接続することができ、作業中、用途に応じてこれらのインスツルメントホース（インスツルメント）の中から所望のインスツルメントホースを選択して使用することができるので、チップやハンドピースの交換を必要とせず、術者の作業時間を短縮することができ、作業効率が向上する。
【図面の簡単な説明】
【図１】  本発明によるインスツルメントホース用アダプタの使用例を説明するための図で、図１（Ａ）は斜視図、図１（Ｂ）は模式図である。
【図２】  本発明によるインスツルメントホース用アダプタの他の例を説明するための概略斜視図である。
【図３】  本発明によるアダプタが適用される機器の一例を説明するための図で、図３（Ａ）は斜視図、図３（Ｂ）は模式図である。
【符号の説明】
１０…装置本体、１１…接続口、２０，２０1〜２０3…インスツルメントホース、２１，２１1〜２１3…接続端、２２，２２1〜２２3…ホース、２３，２３1〜２３3…ハンドピース、２４，２４1〜２４3…チップ、３０…アダプタ、３１…装置本体との接続端、３２1〜３２3…インスツルメントホースとの接続端、３３…切り換えスイッチ、３４1〜３４3…インスツルメントホルダー。
【図１】
0003659949.tif 000002
【図２】
0003659949.tif 000003
【図３】
0003659949.tif 000004